(57)【要約】【課題】積み重ねでは高さ方向の省スペース化が図れる商品陳列かごを提供すること。また、他の目的は、嵩の高い陳列面を他の部材を使用することなく自らの形状で実施できる商品陳列かごを提供すること。【解決手段】円形の縁部材で上方の開口を形成し、該縁部材と円形底部との間は放射状に延びる多数の線材と、該線材を接合する横リブからなる網目状の凹面を形成するかごであって、該縁部材から下方側へ該凹面に沿った該凹面中少なくとも１／５の長さが横リブのない放射状の線材からなり、該横リブのない線材間の最小隙間が該線材の太さより大である商品陳列かご。【選択図】図７
0003137465.tif 000002
【実用新案登録請求の範囲】
【請求項１】
円形の縁部材で上方の開口を形成し、該縁部材と円形底部との間は放射状に延びる多数の線材と、該線材を接合する横リブからなる網目状の凹面を形成するかごであって、該縁部材から下方側へ該凹面に沿った該凹面中少なくとも１／５の長さが横リブのない放射状の線材からなり、該横リブのない線材間の最小隙間が該線材の太さより大であることを特徴とする商品陳列かご。
【請求項２】
該横リブのない線材間の最小隙間が該線材の太さの２倍であることを特徴とする請求項１記載の商品陳列かご。
【請求項３】
該放射状の線材の上方先端は該縁部材に接合しており、平面視で該上方端部が見えないものであることを特徴とする請求項１又は２記載の商品陳列かご。
【請求項４】
該放射状の線材は、該縁部材から下方側へ、水平面に対する立ち上がり角度で５５±５度の直線的な第１傾斜部と、第１傾斜部の立ち上がり角度より大きな角度の第２傾斜部と、凹状部とが連続し、該第２傾斜部と凹状部とで該凹面の凹状を形成することを特徴とする請求項１〜３のいずれか１項に記載の商品陳列かご。
【請求項５】
前記横リブのない放射状の線材の長さが、該縁部材から下方側へ該凹面に沿った該凹面中１／４〜１／３の長さであることを特徴とする請求項１〜４のいずれか１項に記載の商品陳列かご。
【請求項６】
該横リブは平面視で２〜４つの円形リブを形成することを特徴とする請求項１〜５のいずれか１項に記載の商品陳列かご。
【請求項７】
該円形底板の裏面には、４５度間隔で配置される径方向に延びる突起を８本有し、該突起の底面は所定幅の平坦面であり、該隣接する突起同士の内側の先端に該所定幅と略同じ寸法の隙間を有することを特徴とする請求項１〜６のいずれか１項に記載の商品陳列かご。
【考案の詳細な説明】
【技術分野】
【０００１】
本考案は、２個又は３個積み重ねた時の、高さ方向の省スペース化が図れ、また、２個を底板同士を付き合わせて使用すれば、安定した底上げの陳列面を形成できる果物、野菜類などの少量陳列に適する商品陳列かごに関するものである。
【背景技術】
【０００２】
商品陳列かごとしては、実開昭６２−３５５６６号公報に左右側面部材と、該左右側面部材の端辺にそれぞれ左右に回転自在に各端辺が取り付けられた正面部材と背面部材と、少なくとも前記左右側面部材、正面部材及び背面部材のいずれか２部材に着脱自在に係止する底面部材とから構成され、該底面部材を取り外し、前記正面部材と背面部材を回動させることにより折り畳み可能とした商品陳列かごが開示されている。この商品陳列かごは四角形状のものであり、果物などの少量陳列には適さない。
【０００３】
従来、果物などの少量陳列で使用される商品陳列かごは水切り用のざるを使用したり、比較的底の浅いかごを使用していた。これは深さのある商品陳列かごが市場になかったことと、手近なもので代用できる便利さに起因する。
【０００４】
近年、果物などの少量陳列の演出効果を狙って、５〜８ｃｍのような深さのある商品陳列かごの登場が望まれていた。また、このような商品陳列かごは数多く使用するため、保存する場合、積み重ねでは可能な限り上下方向に嵩張らないものが望まれていた。また、果物などの少量陳列の演出効果を狙った斬新な陳列形態を、他の部材を使用することなく自らの形状で実施できる商品陳列かごの登場が望まれていた。
【考案の開示】
【考案が解決しようとする課題】
【０００５】
従って、本考案の目的は、積み重ねでは高さ方向の省スペース化が図れる商品陳列かごを提供することにあり、また、他の目的は、嵩の高い陳列面を他の部材を使用することなく自らの形状で実施できる商品陳列かごを提供することにある。
【課題を解決するための手段】
【０００６】
すなわち、本考案は上記従来の課題を解決するものであって、円形の縁部材で上方の開口を形成し、該縁部材と円形底部との間は放射状に延びる多数の線材と、該線材を接合する横リブからなる網目状の凹面を形成するかごであって、該縁部材から下方側へ該凹面に沿った該凹面中少なくとも１／５の長さが横リブのない放射状の線材からなり、該横リブのない線材間の最小隙間が該線材の太さより大である商品陳列かごを提供するものである。
【考案の効果】
【０００７】
本考案の商品陳列かごによれば、２個又は３個の積み重ねにおいて、高さ方向の省スペース化が図れる。また、嵩の高い陳列面を他の部材を使用することなく自らの形状で実施できる。
【考案を実施するための最良の形態】
【０００８】
本考案の実施の形態における商品陳列かごを図１〜図５を参照して説明する。図１は本例の商品陳列かごの斜視図、図２は図１の商品陳列かごの側面図、図３は図１の商品陳列かごの裏面から見た斜視図、図４は本例の商品陳列かごにおける縁部材と放射状に延びる線材との接合状態を示す部分断面図、図５は本例の商品陳列かごにおける積み重ね状態を示す上部の拡大図である。なお、本明細書において、「上」、「下」は開口が上方を向く陳列かごとしての使用状態における位置を言う。
【０００９】
商品陳列かご１０は、上方の開口を形成する円形の縁部材１と、円形底板（円形底部）２と、縁部材１と円形底板２の間の凹面部９とからなる。凹面部９は縁部材１と円形底板２間で放射状に延びる多数の線材４と、線材４を接合する横リブ５からなる網目状である。網目形状は平面視において点対称である。すなわち、網目形状は、放射状に延びる線材４、４間で隙間６を形成している。また、横リブ５は上下方向の中央やや上部の第１横リブ５ａ、上下方向の中央やや下部の第２横リブ５ｂ、上下方向の下部の第３横リブ５ｃからなり、それぞれが平面視で円形状を形成する。なお、横リブの設置個数及び設置位置は上記形態に限定されない。
【００１０】
円形の縁部材１の下端から第１横リブ５ａの中心までの凹面（以下、「第１凹面部」とも言う。）に沿った長さｌ３は、円形の縁部材１の下端から円形底板２の接続点までの長さ（凹面部の長さ）の少なくとも１／５、通常は１／４〜１／３の範囲にあるものである。このような横リブ構造を採ることにより、かごの下方側に主にかかる果物類の重みを支持することができる。
【００１１】
また、第１凹面部において放射状の線材４ａ、４ａで形成される隙間６の最小隙間は線材の４ａの太さより大であり、好適には線材４ａの太さの２倍である。第１凹面部の隙間６が線材４ａの太さと略同じであれば、２個の積み重ねにおいて、上下方向の嵩張りを少なくでき、第１凹面部の隙間６が線材４ａの略２倍であれば、３個の積み重ねにおいて、上下方向の嵩張りを少なくできる。線材の４ａ太さは第１凹面部の凹面に直交する方向から見た幅寸法（太さ）である。線材４ａの形状としては特に制限されず、円形断面部材、矩形状部材、楕円形断面部材などが挙げられる。
【００１２】
また、本考案において、図４に示すように、放射状の線材４の上方先端は縁部材１に接合しており、平面視で上方端部が見えない形態のかごであれば、本考案の効果がより顕著に表れる。すなわち、図１４に示すように、放射状の線材４の上方先端部の外側面が縁部材１に接合して、平面視で上方端面４０２が見える形態のかごであって、縁部材１で形成される円形形状が同じ寸法であれば、図１４の放射状の線材４０１が内側に入る分、積み重ねた場合に嵩張らなくなる。一方、本考案の図４のかご形態は、放射状の線材４０１が外側にくる分、積み重ねた場合に嵩張ることになるが、線材４間の隙間６の形成及び後述する線材４の特定形状により積み重ねた場合に嵩張りを制限することができる。すなわち、本考案は意匠性及び制作上の観点から縁部材１と線材４の先端とが連続するように一体化させた場合の積み重ねによる不都合を解決したものである。
【００１３】
図４に示すように、第１凹面部における放射状の線材４ａは、縁部材１から下方側へ、水平面に対する立ち上がり角度αで５５±５度の直線的な第１傾斜部４１ａと、第１傾斜部の立ち上がり角度より大きな角度の第２傾斜部４２ａと、凹状部４３ａとが連続し、第１傾斜部４１ａと第２傾斜部４２ａの接続部及び第２傾斜部４２ａと凹状部４３ａの接続部はそれぞれ滑らかに連続しており、第２傾斜部４２ａと凹状部４３ａとで凹面の凹状を形成する。第１傾斜部４１ａの長さｌ１は２〜５ｍｍ程度であり、第２傾斜部４２ａの長さｌ２は凹状の一部となるため、決定し難いものの、３〜１０ｍｍ程度である。また、第１凹面部の凹状に沿った長さは例えば、２０〜２５ｍｍであり、凹状の全長は、７０〜１００ｍｍ程度である。このように、第１凹面部における放射状の線材４ａの縁部材１の近傍部分の線材に第２傾斜部４２ａの傾斜よりもやや寝かせた傾斜の第１傾斜部４１ａを設けたことにより、複数個積み重ねた場合の嵩張りを抑制できる。この理由は同形状の傾斜壁を有する容器を積み重ねる場合、傾斜壁の傾斜角度が緩やかなものほど、積み重ねの嵩張りを抑制できることと同じである。なお、本例の商品陳列かごのαは５５度である。
【００１４】
商品陳列用かご１０の円形底部２は、本例では円形底板であるが、これに限定されず、例えば網目状であってもよい。商品陳列用かご１０の円形底部２の表面は平坦面であり、裏面には円周の縁部２４と、６つの突起を有する。円周の縁部２４は僅かな高さを有しており、円周の縁部２４で囲まれる円形底部２の面は僅かな深さｈを有する凹部２２となっている。
【００１５】
円形底板２の裏面には、４５度間隔で配置される径方向に延びる突起２１を８本有し、突起２１の底面（設置面）２３は所定幅ｌ４の平坦面であり、隣接する突起２１、２１同士の内側の先端に所定幅ｌ４と略同じ寸法の隙間２５を有する。突起２１の縁部２４からの高さは、円形底部２の深さｈと略同じ寸法である。これにより、２つの商品陳列用かご１０を後ろ合わせにして、円形底板２の突起２１を互い違いにして互いに噛み合うように当接させれば、結合状態ではないものの、一方を嵩上げ用の基台として利用すれば、ユニークな形状の商品陳列かごを安定性を高めて形成することができる（図９参照）。
【００１６】
商品陳列用かご１０の深さ、すなわち、かご全体の高さは５〜８ｃｍ程度である。また、円形の開口を形成する縁部材１の中心線を通る直径は１５０〜２００ｃｍ程度のものである。本考案はこのような比較的深さのある陳列かごの積み重ねにおける嵩張りの問題を解決したものである。
【００１７】
次ぎに、２枚の商品陳列用かご１０の積み重ね状態を図５及び図６を参照して説明する。図６は２枚の商品陳列かごの積み重ね状態の一部を断面で示す側面図である。２枚の商品陳列用かご１０の積み重ね状態において、２枚の商品陳列用かご１０は一方の商品陳列用かご１０の第１凹面部における隙間６に他方の商品陳列用かご１０の第１凹面部における線材４ａが入り込むように重ねる。これにより、２枚の商品陳列用かご１０の縁部材１はほとんど重なるように接近する。このため、２枚重ねの状態において、上下方向の嵩張りを制限することができる。なお、商品陳列用かご１０の２枚以上、例えば、６枚重ねの場合、２枚組み単位で上下方向の嵩張りを制限することができるだけであり、２枚組み単位と他の２枚組み単位の重なり部及び４枚組み単位と２枚組み単位の重なり部は線材間の隙間に線材が入り込む隙間がないため、本考案の効果は得られない。なお、図６の斜線部４６が上方の商品陳列かごの線材４ａが下方の商品陳列かごに入り込んだ部分である。
【００１８】
次ぎに、３枚の商品陳列用かご１０の積み重ね状態を図７を参照して説明する。図７は３枚の商品陳列かごの積み重ね状態の一部を断面で示す側面図である。図７の商品陳列かごにおいて、図６の商品陳列かごと相違する点は、線材間の隙間６が線材の太さの略２倍あるものである。３枚の商品陳列用かご１０の積み重ね状態において、一方の商品陳列用かご１０の第１凹面部における隙間６に他方の２枚の商品陳列用かご１０の第１凹面部における線材４ａがそれぞれ入り込むように重ねる。これにより、３枚の商品陳列用かご１０の縁部材はほとんど重なるように接近する。このため、３枚重ねの状態において、上下方向の嵩張りを制限することができる。従来の商品陳列かごは例えば図１２の凹面陳列かごや図１３の四角面陳列かごのように、３枚の積み重ねで、それぞれｈ２が２２ｍｍ及びｈ３が１４ｍｍの積み重ね長さがあったが、本考案の商品陳列かご１０によれば、積み重ね長さｈ１を９ｍｍとすることができる（図７参照）。
【００１９】
なお、商品陳列用かご１０の３枚以上、例えば、９枚重ねの場合、３枚組み単位で上下方向の嵩張りを制限することができるだけであり、３枚組み単位と他の３枚組み単位の重なり部及び６枚組み単位と３枚組み単位の重なり部は線材間の隙間に線材が入り込む隙間がないため、本考案の効果は得られない。しかしながら、多数の商品陳列かごを積み重ねる場合には上下方向の嵩張りは大きく制限できる。
【００２０】
次ぎに２枚の商品陳列かご１０を使用した陳列方法を図８〜図１１を参照して説明する。図８は２枚の商品陳列かごの置き方を説明する図、図９は２枚の商品陳列かごの斜視図、図１０は２枚の商品陳列かごの設置前の状態を示す図、図１１は２枚の商品陳列かごの設置後の状態を示す図である。先ず、２枚の商品陳列かご１０を後ろ合わせにする。次いで、一方の商品陳列かご１０の８つの突起２１ａ〜２１ｈが、他方の商品陳列かご１０の８つの突起で形成される隙間２２ｉ〜２２ｐに嵌るように付き合わせる。これにより、突起は互いに設置の障害とならず、回転移動を規制する規制部材とし作用する。一方の陳列かごの円周の縁部２４と他方の陳列かごの円周の縁部２４がぴったり当接する（図１１参照）。このため、一方の陳列かご１０の開口が設置面側にくるように設置すれば、嵩高のユニークな陳列面を演出することができる。また、この陳列方法によれば、嵩の高い陳列面を他の部材を使用することなく自らの形状で実施できる
【図面の簡単な説明】
【００２１】
【図１】本例の商品陳列かごの斜視図である。
【図２】図１の商品陳列かごの側面図である。
【図３】図１の商品陳列かごの裏面から見た斜視図である。
【図４】本例の商品陳列かごにおける縁部材と放射状に延びる線材との接合状態を示す部分断面図である。
【図５】本例の商品陳列かごにおける積み重ね状態を示す上部の拡大図である。
【図６】２枚の商品陳列かごの積み重ね状態の一部を断面で示す部分側面図である。
【図７】３枚の商品陳列かごの積み重ね状態の一部を断面で示す側面図である。
【図８】２枚の商品陳列かごの置き方を説明する図である。
【図９】２枚の商品陳列かごの斜視図である。
【図１０】２枚の商品陳列かごの設置前の状態を示す図である。
【図１１】２枚の商品陳列かごの設置後の状態を示す図である。
【図１２】比較例となる３枚の商品陳列かごの積み重ね状態の一部を断面で示す部分側面図である。
【図１３】比較例となる他の３枚の商品陳列かごの積み重ね状態の一部を断面で示す部分側面図である。
【図１４】比較例となる商品陳列かごの上部の拡大部分断面図である。
【符号の説明】
【００２２】
１      円形の縁部材
２      円形底板（円形底部）
４      放射状に延びる多数の線材
５      横リブ
５ａ    第１横リブ
５ｂ    第２横リブ
５ｃ    第３横リブ
６      隙間
９      凹面部
１０      商品陳列かご
４１ａ    第１傾斜部
４２ａ    第２傾斜部
４３ａ    凹状部
【図１】
0003137465.tif 000003
【図２】
0003137465.tif 000004
【図３】
0003137465.tif 000005
【図４】
0003137465.tif 000006
【図５】
0003137465.tif 000007
【図６】
0003137465.tif 000008
【図７】
0003137465.tif 000009
【図８】
0003137465.tif 000010
【図９】
0003137465.tif 000011
【図１０】
0003137465.tif 000012
【図１１】
0003137465.tif 000013
【図１２】
0003137465.tif 000014
【図１３】
0003137465.tif 000015
【図１４】
0003137465.tif 000016